(57)【要約】【課題】電力取引市場に対して買い注文あるいは売り注文を正確、迅速かつ適切に提出することができる電力取引システムを提供する。【解決手段】電力取引システムは、コンピュータ・システムを用いた電力取引入力インターフェースを備える。これは、表示画面上で入札の実施日に対応する日付毎に各時間帯の入札量及び入札価格の組から成るデータを含む入札データをその日付及び各時間帯に関連付けて一覧表示可能に作成するデータ作成手段１１と、入札データに従い電力取引市場への入札を電子的に実施する入札実施手段１４と、入札の実施日にその日付の各時間帯の落札量及び落札価格の組から成るデータを含む落札結果に関する落札データを電力取引市場から取得する入札結果取得手段１５と、落札データを入札データと共にその日付及び各時間帯に関連付けて表示画面上に一覧表示可能に保存するデータ保存手段１６とを有する。【選択図】  図２
2006119760.tif 000002
【特許請求の範囲】
【請求項１】
電力取引市場への電子的な入札を支援する電力取引システムであって、
入力手段、表示手段、及び通信手段を有するコンピュータ・システムを用いた電力取引入力インターフェースを備え、
前記電力取引入力インターフェースは、
前記表示手段の表示画面上で、前記入札の実施日に対応する日付毎に各時間帯の入札量及び入札価格の組から成るデータを含む前記入札に必要とされる入札データを少なくともその日付及び各時間帯に関連付けて一覧表示可能に作成する入札データ作成手段と、
前記入札データ作成手段により作成された入札データに従い、前記通信手段を介して通信回線経由で前記電力取引市場への入札を電子的に実施する入札実施手段と、
前記入札の実施日にその日付の各時間帯の落札量及び落札価格の組から成るデータを含む落札結果に関する落札データを前記電力取引市場から前記通信回線経由で前記通信手段を介して取得する入札結果取得手段と、
前記入札結果取得手段により取得された前記落札データを、前記入札データ作成手段により作成された前記入札データと共にその日付及び各時間帯に関連付けて前記表示手段の表示画面上に一覧表示可能に保存するデータ保存手段とを有することを特徴とする電力取引システム。
【請求項２】
前記入札データ作成手段は、
前記入力手段により日付を指定することにより、その指定日付の各時間帯の入札量及び入札価格の組から成るデータを前記表示手段の表示画面上に一覧表示する手段と、
前記入力手段により前記日付の任意の時間帯を指定することにより、その指定時間帯の入札量及び入札価格の組から成るデータを変更する手段と、
前記入力手段により前記入札の過去の実施日を指定することにより、その指定日付の各時間帯の落札量及び落札価格の組から成るデータを前記表示手段の表示画面上に一覧表示する手段とを備えたことを特徴とする請求項１記載の電力取引システム。
【請求項３】
前記入札データ作成手段は、前記入札データとして、入札価格とその入札価格以下で入札する電力の合計との組から成るデータを作成する手段を備えることを特徴とする請求項１記載の電力取引システム。
【請求項４】
前記入札データ作成手段は、前記入札データとして、入札価格とその入札価格で入札する電力との組から成るデータを作成する手段を備えることを特徴とする請求項１記載の電力取引システム。
【請求項５】
前記入札データ作成手段は、
前記入札データとして、入札価格とその入札価格以下で入札する電力の合計との組から成るデータを作成する第１の入札データ作成手段と、
前記入札データとして、入札価格とその入札価格で入札する電力との組から成るデータを作成する第２の入札データ作成手段と、
前記第１及び第２の入札データ作成手段を互いに切り替える手段と、
前記第１及び第２の入札データ作成手段により作成された前記入札データをその入札曲線として前記表示手段の表示画面上に図形表示する手段とをさらに有し、
前記第２の入札データ作成手段は、前記入力手段により入札価格のデータを任意の順に入力し、入力後に低価格順に並べ替えて前記表示手段の表示画面上に表示させる手段を備えたことを特徴とする請求項１記載の電力取引システム。
【請求項６】
前記電力取引入力インターフェースは、
前記入札データ作成手段により作成された前記入札データのほか、落札価格の予測値あるいは入札量の予測値と、前記電力取引市場に参加する他社の入札データとに基づいて落札価格を予測して自らの落札量を事前に予測し、合計の落札量、落札高あるいは利益を評価し、その評価結果を前記表示手段の表示画面上に表示させて所望の落札結果を得るように前記入札データを編集する事前評価手段をさらに有することを特徴とする請求項１記載の電力取引システム。
【請求項７】
前記電力取引入力インターフェースは、
所定のデータ操作における操作時刻および操作内容のデータを前記表示手段の表示画面上で閲覧可能に記録するモニタ記録手段をさらに有することを特徴とする請求項１記載の電力取引システム。
【請求項８】
前記電力取引入力インターフェースは、
前記事前評価手段による落札予測に関する事前評価結果あるいは実際の落札結果として、各時間帯の落札価格、落札量、及び落札率を、前記表示手段の画面上に数値及びグラフを用いて表示可能に保存すると共に、翌日の発電計画を修正するためのデータとして外部出力する手段をさらに有することを特徴とする請求項６記載の電力取引システム。
【請求項９】
前記電力取引入力インターフェースは、
前記入札データ作成手段により作成された自社の入札データの入札曲線と前記電力取引市場に参加する他社の入札データの入札曲線を積算し、この積算データと需要予測とから落札価格を評価すると共に、前記入札データの入札曲線作成時に前記落札価格を随時評価しながらデータを修正するオークション・エンジン実行手段をさらに有することを特徴とする請求項１記載の電力取引システム。
【請求項１０】
前記電力取引入力インターフェースは、
落札価格及び他社の入札量の予測値を用いて、落札量を最大化あるいは利益を最大化するように前記入札データ作成手段により作成された前記入札データの入札曲線を最適化する入札データ最適化手段をさらに有することを特徴とする請求項１記載の電力取引システム。
【請求項１１】
前記電力取引入力インターフェースは、
入札量、落札価格、入札参加者が保有する発電機の種類及びその量をランダムに変化させて落札量及び落札価格の変動を計算し、その変動幅からリスク量を評価し、そのリスク量に基づいて、前記入札データ作成手段により作成された前記入札データを最適化するリスク評価手段をさらに有することを特徴とする請求項１記載の電力取引システム。
【請求項１２】
前記電力取引入力インターフェースは、
予め設定された入札参加者が保有する発電機のコスト・データ及び発電スケジュールに基づいて、発電量の関数としての発電コスト曲線を作成すると共に、その作成データと利益率とに基づいて、前記入札データを作成する手段をさらに有することを特徴とする請求項１記載の電力取引システム。
【請求項１３】
電力取引市場への電子的な入札を支援する電力取引システムの動作方法であって、
コンピュータ・システムの表示手段の表示画面上で、前記入札の実施日に対応する日付毎に各時間帯の入札量及び入札価格の組から成るデータを含む前記入札に必要とされる入札データを少なくともその日付及び各時間帯に関連付けて一覧表示可能に作成するステップと、
作成された入札データに従い、前記コンピュータ・システムの通信手段を介して通信回線経由で前記電力取引市場への入札を電子的に実施するステップと、
前記入札の実施日にその日付の各時間帯の落札量及び落札価格の組から成るデータを含む落札結果に関する落札データを前記電力取引市場から前記通信回線経由で前記通信手段を介して取得するステップと、
取得された前記落札データを前記入札データと共にその日付及び各時間帯に関連付けて前記表示手段の表示画面上に一覧表示可能に保存するステップとを有することを特徴とする電力取引システムの動作方法。
【請求項１４】
電力取引市場への電子的な入札を支援する電力取引システムの動作プログラムであって、
コンピュータに、
表示手段の表示画面上で、前記入札の実施日に対応する日付毎に各時間帯の入札量及び入札価格の組から成るデータを含む前記入札に必要とされる入札データを少なくともその日付及び各時間帯に関連付けて一覧表示可能に作成するステップと、
作成された入札データに従い、通信手段を介して通信回線経由で前記電力取引市場への入札を電子的に実施するステップと、
前記入札の実施日にその日付の各時間帯の落札量及び落札価格の組から成るデータを含む落札結果に関する落札データを前記電力取引市場から前記通信回線経由で前記通信手段を介して取得するステップと、
取得された前記落札データを前記入札データと共にその日付及び各時間帯に関連付けて前記表示手段の表示画面上に一覧表示可能に保存するステップとを実行させることを特徴とする電力取引システムの動作プログラム。
【発明の詳細な説明】
【技術分野】
【０００１】
本発明は、電力取引を支援するための電力取引システム、その動作方法、及び動作プログラムに係り、とくにコンピュータ・システムを用いた汎用性のある電力取引入力インターフェースの工夫に関する。
【背景技術】
【０００２】
近年のわが国での電力市場の自由化に伴い、電力取引所を介して電力を商品として売買する時代が到来しようとしている。取引所を媒介にした電力取引は、翌日の電力を取引する前日市場（スポット市場）と、それ以降に受け渡される電力を取引する先渡市場とで行われる。この取引所に参加する事業者としては、電力会社のほか、新規参入の小売事業者（特定規模電気事業者）、発電事業者などが想定されている。
【０００３】
一般に、事業者向けの電力取引システムは、特定の取引相手に対し当事者間での交渉に基づく相対取引を支援するための取引システムと、電力市場において取引所を媒介にして電力を売買する市場取引を支援するための取引システムとに大別される。ここでの支援とは、コンピュータを用いて取引に必要なデータを入力し、ネットワーク等を用いて相対取引の場合は取引相手、市場取引の場合は電力取引所にそれぞれ電力売買に関する取引情報を送信し、取引がまとまった場合には制約情報を取得、保存、及び管理し、実際の商品（電力）の受け渡しを行う部署に連絡し、代金の請求・決済を行い、また場合によっては取引に伴うリスクを評価し、リスクが最小になるように取引内容を管理することを意味する。
【０００４】
特に市場取引においては、取引される商品の価格等が刻々と変化したり、取引内容を検討する時間が十分にない場合があったりするため、迅速かつ正確に取引を実施することを支援するコンピュータ・システムの使用が必須とされている。このような市場取引で使用されるコンピュータ・システムとしては、金融・証券分野で用いられているような取引システムがよく知られている。また、電力取引分野においても、コンピュータ・ネットワークを利用して、発電量と販売量、購入量をバランスさせるように管理しながら電力を売買するための電力売買管理システム（例えば、特許文献１参照）や、適切に取引先の評価を行い取引先の選定を支援するような取引先評価システムが提案されている（例えば、特許文献２参照）。
【特許文献１】特開２００３−２８１２３１号公報
【特許文献２】特開２００３−６５２４号公報
【発明の開示】
【発明が解決しようとする課題】
【０００５】
しかしながら、これまでの市場取引システムにおいては、取引条件の入力に汎用性がなく、とくに取引価格に発電コストを適切に反映させることが難しく、必ずしも適切な価格で市場取引ができないという課題があった。また、複雑な条件の取引価格を提示する場合には、入力に多大な手間と時間がかかるという問題もあった。さらに、取引先の選定が可能なシステムは、既に知られているが、市場における落札量の予測や事前評価ができないという課題があった。
【０００６】
本発明は、上述した課題を解決するためになされたもので、電力取引市場に対して買い注文あるいは売り注文を正確、迅速かつ適切に提出することのできる電力取引システム、その動作方法および動作プログラムを提供することを第１の目的とする。
【０００７】
また、本発明の第２の目的は、取引内容を事前に評価し、落札量や落札価格を予測し、それらをもとに入力内容を修正し、希望の入札を行うことができる電力取引システム、その動作方法および動作プログラムを提供することにある。さらに、本発明の第３の目的は、取引に関する収益やリスクを評価し、制約を与え、それらのもとで取引を最適化することにより取引に関するリスクを適切に管理することのできる電力取引システム、その動作方法および動作プログラムを提供することにある。
【課題を解決するための手段】
【０００８】
本発明に係る電力取引システムは、上述した課題を解決するために、請求項１に記載したように、電力取引市場への電子的な入札を支援する電力取引システムであって、入力手段、表示手段、及び通信手段を有するコンピュータ・システムを用いた電力取引入力インターフェースを備え、前記電力取引入力インターフェースは、前記表示手段の表示画面上で、前記入札の実施日に対応する日付毎に各時間帯の入札量及び入札価格の組から成るデータを含む前記入札に必要とされる入札データを少なくともその日付及び各時間帯に関連付けて一覧表示可能に作成する入札データ作成手段と、前記入札データ作成手段により作成された入札データに従い、前記通信手段を介して通信回線経由で前記電力取引市場への入札を電子的に実施する入札実施手段と、前記入札の実施日にその日付の各時間帯の落札量及び落札価格の組から成るデータを含む落札結果に関する落札データを前記電力取引市場から前記通信回線経由で前記通信手段を介して取得する入札結果取得手段と、前記入札結果取得手段により取得された前記落札データを、前記入札データ作成手段により作成された前記入札データと共にその日付及び各時間帯に関連付けて前記表示手段の表示画面上に一覧表示可能に保存するデータ保存手段とを有することを特徴とする。
【０００９】
本発明において、前記データ作成手段は、前記入力手段により日付を指定することにより、その指定日付の各時間帯の入札量及び入札価格の組から成るデータを前記表示手段の表示画面上に一覧表示する手段と、前記入力手段により前記日付の任意の時間帯を指定することにより、その指定時間帯の入札量及び入札価格の組から成るデータを変更する手段と、前記入力手段により前記入札の過去の実施日を指定することにより、その指定日付の各時間帯の落札量及び落札価格の組から成るデータを前記表示手段の表示画面上に一覧表示する手段とを備えてもよい。
【００１０】
また、前記入札データ作成手段は、前記入札データとして、入札価格とその入札価格以下で入札する電力の合計との組から成るデータを作成する手段を備えてもよい。
【００１１】
また、前記入札データ作成手段は、前記入札データとして、入札価格とその入札価格で入札する電力との組から成るデータを作成する手段を備えてもよい。
【００１２】
さらに、前記入札データ作成手段は、前記入札データとして、入札価格とその入札価格以下で入札する電力の合計との組から成るデータを作成する第１の入札データ作成手段と、前記入札データとして、入札価格とその入札価格で入札する電力との組から成るデータを作成する第２の入札データ作成手段と、前記第１及び第２の入札データ作成手段を互いに切り替える手段と、前記第１及び第２の入札データ作成手段により作成された前記入札データをその入札曲線として前記表示手段の表示画面上に図形表示する手段とをさらに有し、前記第２の作成手段は、前記入力手段により入札価格のデータを任意の順に入力し、入力後に低価格順に並べ替えて前記表示手段の表示画面上に表示させる手段を備えてもよい。
【００１３】
前記電力取引入力インターフェースは、前記入札データ作成手段により作成された前記入札データのほか、落札価格の予測値あるいは入札量の予測値と、前記電力取引市場に参加する他社の入札データとに基づいて落札価格を予測して自らの落札量を事前に予測し、合計の落札量、落札高あるいは利益を評価し、その評価結果を前記表示手段の表示画面上に表示させて所望の落札結果を得るように前記入札データを編集する事前評価手段をさらに有してもよい。
【００１４】
また、前記電力取引入力インターフェースは、所定のデータ操作における操作時刻および操作内容のデータを前記表示手段の表示画面上で閲覧可能に記録するモニタ記録手段をさらに有してもよい。
【００１５】
また、前記電力取引入力インターフェースは、前記事前評価手段による落札予測に関する事前評価結果あるいは実際の落札結果として、各時間帯の落札価格、落札量、及び落札率を、前記表示手段の画面上に数値及びグラフを用いて表示可能に保存すると共に、翌日の発電計画を修正するためのデータとして外部出力する手段をさらに有してもよい。
【００１６】
また、前記電力取引入力インターフェースは、前記入札データ作成手段により作成された自社の入札データの入札曲線と前記電力取引市場に参加する他社の入札データの入札曲線を積算し、この積算データと需要予測とから落札価格を評価すると共に、前記入札データの入札曲線作成時に前記落札価格を随時評価しながらデータを修正するオークション・エンジン実行手段をさらに有してもよい。
【００１７】
前記電力取引入力インターフェースは、落札価格及び他社の入札量の予測値を用いて、落札量を最大化あるいは利益を最大化するように前記入札データ作成手段により作成された前記入札データの入札曲線を最適化する入札データ最適化手段をさらに有してもよい。
【００１８】
前記電力取引入力インターフェースは、入札量、落札価格、入札参加者が保有する発電機の種類及びその量をランダムに変化させて落札量及び落札価格の変動を計算し、その変動幅からリスク量を評価し、そのリスク量に基づいて、前記入札データ作成手段により作成された前記入札データを最適化するリスク評価手段をさらに有してもよい。
【００１９】
前記電力取引入力インターフェースは、予め設定された入札参加者が保有する発電機のコスト・データ及び発電スケジュールに基づいて、発電量の関数としての発電コスト曲線を作成すると共に、その作成データと利益率とに基づいて、前記入札データを作成する手段をさらに有してもよい。
【００２０】
また、本発明に係る電力取引システムの動作方法は、上述した課題を解決するため、請求項１３に記載したように、電力取引市場への電子的な入札を支援する電力取引システムの動作方法であって、コンピュータ・システムの表示手段の表示画面上で、前記入札の実施日に対応する日付毎に各時間帯の入札量及び入札価格の組から成るデータを含む前記入札に必要とされる入札データを少なくともその日付及び各時間帯に関連付けて一覧表示可能に作成するステップと、作成された入札データに従い、前記コンピュータ・システムの通信手段を介して通信回線経由で前記電力取引市場への入札を電子的に実施するステップと、前記入札の実施日にその日付の各時間帯の落札量及び落札価格の組から成るデータを含む落札結果に関する落札データを前記電力取引市場から前記通信回線経由で前記通信手段を介して取得するステップと、取得された前記落札データを前記入札データと共にその日付及び各時間帯に関連付けて前記表示手段の表示画面上に一覧表示可能に保存するステップとを有することを特徴とする。
【００２１】
また、本発明に係る電力取引システムの動作方法は、上述した課題を解決するため、請求項１４に記載したように、電力取引市場への電子的な入札を支援する電力取引システムの動作プログラムであって、コンピュータに、表示手段の表示画面上で、前記入札の実施日に対応する日付毎に各時間帯の入札量及び入札価格の組から成るデータを含む前記入札に必要とされる入札データを少なくともその日付及び各時間帯に関連付けて一覧表示可能に作成するステップと、作成された入札データに従い、通信手段を介して通信回線経由で前記電力取引市場への入札を電子的に実施するステップと、前記入札の実施日にその日付の各時間帯の落札量及び落札価格の組から成るデータを含む落札結果に関する落札データを前記電力取引市場から前記通信回線経由で前記通信手段を介して取得するステップと、取得された前記落札データを前記入札データと共にその日付及び各時間帯に関連付けて前記表示手段の表示画面上に一覧表示可能に保存するステップとを実行させることを特徴とする。
【発明の効果】
【００２２】
本発明によれば、電力取引市場に対して買い注文あるいは売り注文を正確、迅速かつ適切に提出し得る電力取引システム、その動作方法および動作プログラムを提供できる。また、取引内容を事前に評価し、落札量や落札価格を予測し、それらをもとに入力内容を修正し、希望の入札を行える電力取引システムを提供できる。さらに、取引に関する収益やリスクを評価し、制約を与え、それらのもとで取引を最適化することにより取引に関するリスクを適切に管理し得る電力取引システム、その動作方法および動作プログラムを提供できる。
【発明を実施するための最良の形態】
【００２３】
以下、本発明に係る電力取引システム、その動作方法、及び動作プログラムの実施形態について、図面を参照して説明する。
【００２４】
図１は、本実施形態に係る電力取引システムを含むネットワーク全体を示す構成図、図２は、その電力取引システムの主要部を示す概念図をそれぞれ示す。
【００２５】
図１に示す電力取引システムＰＳは、電力取引を支援するもので、オペレータとなる電力トレーダーが電力取引に必要なデータを入力、編集、加工、保存、及び評価するための電力取引入力インターフェース（「スポット入札支援ツール」とも呼ぶ）１と、入力結果を評価するためのオークション・エンジン２と、リスク指標を計算するためのリスク評価エンジン３と、電力取引入力インターフェース１に直結あるいはＬＡＮ（Ｌｏｃａｌ  Ａｒｅａ  Ｎｅｔｗｏｒｋ）等の社内ネットワーク９を介して接続された複数の、例えば３つのデータサーバー、即ち戦略データサーバー４、取引データサーバー５、及び市場データサーバー６とを備えている。
【００２６】
電力取引システムＰＳは、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）の通信プロトコルに従い、インターネット１０を介して電力取引所システム７及び取引先システム８に通信可能に接続されている。電力取引システムＰＳは、インターネット１０又は電話回線経由の直接的なデータのやり取りのほか、電話回線あるいは電子メール等の間接的なデータのやり取りによって、電力取引システムＰＳ外の電力取引所に設置されたコンピュータ・システムからなる電力取引所システム７、あるいは取引先に設置されたコンピュータ・システムからなる取引先システム８との間で互いに連携して動作可能となっている。
【００２７】
戦略データサーバー４には、未実現の取引で戦略的に検討すべき戦略データ４ａが保存されている。この戦略データサーバー４は、戦略データ４ａをデータベースとして管理するためのプログラム及びそのプログラムを実行するコンピュータを備える。このコンピュータには、ハードウエア構成上、ＣＰＵ（Ｃｅｎｔｒａｌ  Ｐｒｏｃｅｓｓｉｎｇ  Ｕｎｉｔ）のほか、このＣＰＵに接続される各種ハードウェアデバイス、即ちメモリ、ハードディスク、社内ネットワーク９に接続されるＬＡＮインターフェース等の通信装置が搭載されている。
【００２８】
取引データサーバー５には、自社で実施された取引結果である取引データ５ａが保存されている。この取引データサーバー５は、取引データ５ａをデータベースとして管理するためのプログラム及びそのプログラムを実行するコンピュータを備える。このコンピュータには、ハードウエア構成上、ＣＰＵのほか、このＣＰＵに接続される各種ハードウェアデバイス、即ちメモリ、ハードディスク、社内ネットワーク９に接続されるＬＡＮインターフェース等の通信装置が搭載されている。
【００２９】
市場データサーバー６には、自社および自社以外の公開されている市場データ６ａが保存されている。この市場データサーバー６は、市場データ６ａをデータベースとして管理するためのプログラム及びそのプログラムを実行するコンピュータを備える。このコンピュータには、ハードウエア構成上、ＣＰＵのほか、このＣＰＵに接続される各種ハードウェアデバイス、即ちメモリ、ハードディスク、社内ネットワーク９に接続されるＬＡＮインターフェース等の通信装置等が搭載されている。
【００３０】
これら３つのサーバー４ないし６は、物理的に異なる複数台のコンピュータで構成しても、或は１台のコンピュータで構成してもよい。
【００３１】
電力取引入力インターフェース１は、例えばＧＵＩ（Ｇｒａｐｈｉｃａｌ  Ｕｓｅｒ  Ｉｎｔｅｒｆａｃｅ）を用いて構成され、ＧＵＩ用のプログラム及びそのプログラムを実行するパーソナルコンピュータ（ＰＣ）等のコンピュータを備える。このコンピュータは、ハードウエア構成上、ＣＰＵのほか、このＣＰＵに接続される各種ハードウェアデバイス、即ちＣＰＵにより実行される制御プログラムや制御データが格納されるメモリ、ＯＳ（Ｏｐｅｒａｔｉｎｇ  Ｓｙｓｔｅｍ）やアプリケーションソフトウェア等のプログラムやデータが格納されるハードディスク、社内ネットワーク９に接続されるＬＡＮインターフェース等の通信装置（通信手段）、キーボードやマウス等の入力装置（入力手段）、ＣＲＴ（Ｃａｔｈｏｄｅ  Ｒａｙ  Ｔｕｂｅ）や液晶ディスプレイ等のディスプレイ（表示手段）等の各種デバイスが搭載されている。このうち、電力取引入力インターフェース１のＧＵＩ用プログラムは、例えばＯＳ上で動作するアプリケーションソフトウェアの１つとして実装される。
【００３２】
オークション・エンジン２及びリスク評価エンジン３は、電力取引入力インターフェース１上で動作するプログラムからなり、例えば電力取引入力インターフェース１を成すコンピュータにより実行されるアプリケーションソフトウェアとして、ハードディスク等に実装される。この場合、電力取引入力インターフェース１と同じコンピュータ内のハードディスクに実装されても、このコンピュータに通信可能に接続された他の外部コンピュータ内のハードディスクに実装されても、いずれの構成であってもよい。要は、電力取引入力インターフェース１と連携して動作可能であればよい。
【００３３】
この電力取引入力インターフェース１は、図２に示すように、入札データを作成する手段（入札データ作成手段）１１、入札データを事前評価（入札結果予測）する手段（事前評価手段）１２、入札データを最適化する手段（入札データ最適化手段）１３、入札データに従い、電力取引市場への入札を電子的に実施する手段（入札実施手段）１４、電力取引市場からその入札結果を取得する手段（入札結果取得手段）１５、データを保存する手段（データ保存手段）１６、市場データ６ａを収集する手段（市場データ収集手段）１７、市場データ６ａに基づき入札データを予測する手段（入札データ予測手段）１８、及び入札データのリスク量を評価する手段（リスク評価手段）１９を有し、必要に応じてオークション・エンジン２およびリスク評価エンジン３を呼び出す。このうち、事前評価手段１２は、入札データ予測手段１８及び市場データ収集手段１７と連携して動作可能となっている。また、リスク評価エンジン３は、リスク評価手段１９によって呼び出し可能となっている。
【００３４】
入札データ作成手段１１は、入力手段により入札の実施日となる日付毎にその日の例えば３０分毎の各時間帯の入札量と入札価格の組で構成される入札データを入力して、入力された入札データをその日付及び各時間帯に関連付けてメモリ等の記録媒体に保存すると共に、入力手段により日付が指定されると、その指定日付の入札データを記録媒体から読み出してディスプレイ上に一覧表示させたり、入力手段により任意の時間帯が指定されると、その指定時間帯の入札データを記録媒体から読み出してそのデータ内容を変更したりする手段を有する。
【００３５】
この入札データ作成手段１１は、入力すべき入札データとして、入札価格とその入札価格以下で入札する電力の合計の組を入力する入力方式（以下、「座標方式」と呼ぶ）と、ある入札価格とその入札価格で入札する電力の組を入力する入力方式（以下、「短冊方式」と呼ぶ）とを備える。また、座標方式及び短冊方式を互いに切り替え、入力された入札データをその入札曲線として図形表示したり、短冊方式の場合は、入札デバイスにより入札価格を任意の順に入力し、入力後に低価格順に並べ替えてディスプレイ上に表示したりする手段を有する。また、この入札データ作成手段１１は、予め設定された発電機のコスト・データ及び発電スケジュールを読み込み、それらから発電量の関数としての発電コスト曲線を作成し、これと利益率とを考慮して入札データを作成する手段も有する。
【００３６】
事前評価手段１２は、入札データ作成手段１１により入力された入札データと、落札価格の予測値、あるいは入札量の予測値と、電力取引市場に参加する他社の入札データとから落札価格を予測することにより、自らの落札量を事前に予測し、合計の落札量、落札高あるいは利益を評価し、その結果をディスプレイ上に表示させ、このディスプレイ表示を見ながら、より望ましい落札結果を得るように入札データを編集する手段を有する。
【００３７】
入札データ最適化手段１３は、落札価格及び他社の入札量の予測値を用いて、落札量を最大化あるいは利益を最大化するように、入札データ作成手段１１により入力された入札データの入札曲線を最適化する手段を有する。
【００３８】
入札実施手段１４は、入札データ作成手段１１により入力された入札データに従って、インターネット１０経由で電力取引所システム７への入札を電子的に実施する手段を有する。
【００３９】
入札結果取得手段１５は、入札の実施日にその日の各時間帯の落札量と落札価格の組からなる落札結果に関する落札データを電力取引所システム７からインターネット１０経由で取得する手段を有する。
【００４０】
データ保存手段１６は、入札結果取得手段１５により取得された落札データを、入札データ作成手段１１により入力された入札データと共に、その日付及びその各時間帯に関連付けて記録媒体に保存し、過去の日付を指定してその日の落札結果データを記録媒体から読み出してディスプレイ上に一覧表示する手段を有する。
【００４１】
オークション・エンジン２は、入札データ作成手段１１により入力された自社の入札データの入札曲線と電力取引市場の入札データの入札曲線を積算し、その積算データと需要予測とから落札価格を評価する手段を有する。この場合、入札データの入札曲線作成時に落札価格を随時評価しながら入力データを修正し得るようになっている。
【００４２】
リスク評価エンジン３は、入札量、落札価格、入札に参加する発電機の種類、量をランダムに変化させて、落札量や落札価格の変動を計算し、その変動幅からリスク量を評価して、リスク量に制約を考慮して入札データを最適化する手段を有する。
【００４３】
また、電力取引入力インターフェース１は、落札予測に関する事前評価結果あるいは実際の落札結果として、各時刻の落札価格、落札量、及び落札率の詳細を数値およびグラフによりディスプレイ上に表示し、記録媒体に保存し、翌日の発電計画を修正するために外部出力して発電部門のコンピュータ・システム（図示しない）に連絡する手段も有する。
【００４４】
さらに、電力取引入力インターフェース１は、入力、編集、保存、事前評価方法、その結果得られる入札内容の電力取引所への送信、落札結果の受信、結果の保存、その他ボタンを押す或いは入力領域へデータを入力する等の所定のデータ操作における操作時刻および操作内容をディスプレイ上で閲覧可能に記録するモニタ記録手段も有する。
【００４５】
上記各手段１１ないし１９が実現する機能の内容は、それぞれ電力取引システムＰＳを成すコンピュータの動作方法及び動作プログラムの各ステップ、即ち図３６に示すフローチャートにおける、入札データ作成ステップＳ１１、事前評価ステップＳ１２、入札データ最適化ステップＳ１３、入札実施ステップＳ１４、入札結果取得ステップＳ１５、データ保存ステップＳ１６、市場データ収集ステップＳ１７、入札データ予測ステップＳ１８、及びリスク評価ステップＳ１９の実行によって実現される機能と同じである。以下、図２に示す各手段１１ないし１９の動作は、図３６に示す各ステップＳ１１ないしＳ１９と同じものとして説明する。
【００４６】
次に、本実施形態の動作について、図３ないし図３５を参照して説明する。
【００４７】
図３は、上記各手段を有する電力取引入力インターフェース１のディスプレイ上の表示画面（ＧＵＩ操作画面又は入力画面）Ｗ１の配置例を示す。この画面Ｗ１は、電力取引入力インターフェース１の起動時に、ディスプレイ上に表示され、これを見ながら、使用者である電力トレーダーによって必要なデータの入力、編集、加工、保存及び評価等の操作が行えるようになっている。
【００４８】
図３に示す画面Ｗ１には、各種情報を表示するための表示窓（表示領域）、及び予め設定された所定の動作をコンピュータに実行させるための各種コマンドボタンが表示される。具体的には、入札の実施日となる入札日及びその各時間帯（３０分毎）を表示する「入札日」表示窓Ａ１及び「各時間帯」表示窓Ａ２、入札データとなる各時間帯の入札量及び入札価格を表示する「入札高（ＭＷ）」表示窓Ａ３及び「入札価格（￥／ｋＷｈ）」表示窓Ａ４、各時間帯の入札データを編集するための「編集」ボタンＡ５、各時間帯の落札データである落札量及び落札価格を表示する「落札高（ＭＷ）」表示窓Ａ６及び「落札価格（￥／ｋＷｈ）」表示窓Ａ７がそれぞれそれぞれ適宜位置に配置されている。
【００４９】
その他、図３に示す画面Ｗ１には、「入札日」を前日又は翌日に変更するための「前日」ボタンＡ８及び「翌日」ボタンＡ９、「入札日」を所定のカレンダーから選択するための「暦」ボタンＡ１０、「一覧表示」ボタンＡ１１、「詳細表示」ボタンＡ１２、「現在の時刻」表示窓Ａ１３、「状況」表示窓Ａ１４、入力された入札データに従い電力取引市場への入札を電子的に実施するための「入札実行」ボタンＡ１５、電力取引市場から落札結果を取得し保存するための「結果取得」ボタンＡ１６及び「結果保存」ボタンＡ１７、「更新」ボタンＡ１８、「モニタ」ボタンＡ１９、「全プロット」ボタンＡ２０、「設定」ボタンＡ２１、「事前評価」ボタンＡ２２、「クリアー」ボタンＡ２３、「保存」ボタンＡ２４、「終了」ボタンＡ２５、「データベース」ボタンＡ２６、「入札量（ＭＷｈ）」表示窓Ａ２７、「予定額（Ｍ￥）」表示窓Ａ２８、「落札量（ＭＷｈ）」表示窓Ａ２９、「落札高（Ｍ￥）」表示窓Ａ３０、「落札率（％）」表示窓Ａ３１、及び「メッセージ」表示窓Ａ３２がそれぞれそれぞれ適宜位置に配置されている。
【００５０】
図３に示す電力取引入力インターフェース１の画面Ｗ１において、電力取引市場への入札は、前日市場（スポット市場）の場合は通常は前日に実施されるため、電力取引システムＰＳの起動直後は、翌日の入札データを入力するための入力画面が表示されるように予め設定されている。即ち、システム起動直後の「入札日」表示窓Ａ１には、翌日の日付が表示される。
【００５１】
ここで、入札日よりも以前に、あらかじめ入札データを作成して入札結果に対する予測シミュレーション等を行うため、翌日以降の入札データを作成することもできる。この場合、「入札日」表示窓Ａ１に直接に入札日を入力したり、「翌日」ボタンＡ９及び「前日」ボタンＡ８を押して日付を指定したりすることが可能である。また、「暦」ボタンＡ１０を押すと、図４に示すカレンダーを表示する画面Ｗ２が現れる。この画面Ｗ２には、指定日の「月」を選択可能なコンボボックスＢ１、指定日の「年」を選択可能なコンボボックスＢ２、カレンダー表示領域Ｂ３、「ＯＫ」ボタンＢ４、「取消し」ボタンＢ５、「次」ボタンＢ６、「前」ボタンＢ７、指定日を表示する「日付」表示窓Ｂ８がそれぞれ適宜位置に配置されている。この画面Ｗ２上において、マウスでカレンダー領域Ｂ３の所望の日付を直接クリックすることで入札日を指定することもできる。この場合、入札できない日に関しては、予め指定できないように設定されている。
【００５２】
この時点では、図３に示す画面Ｗ１の右上に位置する「状況」表示窓Ａ１４には、「未入力」と表示されている。この「状況」表示窓Ａ１４には、結果を一時的に保存した場合には「一時保存」、確定した入札結果を保存済みの場合には「保存済」、取引所の入札対象期間外であれば「期間外」、入札中で落札結果を待っている場合には「入札中」、入札結果を取得した後は「確定済」とそれぞれ表示される。また、図３に示す画面Ｗ１の最下部に位置する「メッセージ」表示窓Ａ３２には、現在のシステムの情報および指定された日付に関する情報が表示される。
【００５３】
入札データに関しては、新たに作成する手段だけでなく、図５に示す画面Ｗ３から、過去に作成した入札データを読み出して編集・加工して作成することもできる。図５に示す画面Ｗ３には、「データ保存日」表示領域Ｃ１、指定日の年月日を表示する「指定日」表示窓Ｃ２、指定日の入札量（ＭＷｈ）、落札量（ＭＷｈ）、及び落札率（％）を表示する「入札量」表示窓Ｃ３、「落札量」表示窓Ｃ４、及び「落札率」表示窓Ｃ５のほか、「戻る」ボタンＣ６、「詳細」ボタンＣ７、「削除」ボタンＣ８がそれぞれ適宜位置に配置されている。この場合、「データ保存日」表示領域Ｃ１上で、カーソルを移動することで、過去の日付を指定してその入札データを用いて編集可能となっている。
【００５４】
次に、電力取引入力インターフェース１の各手段の詳細を説明する。
【００５５】
入札データ作成手段１１には、データをファイルから読み込む手段、データを新規に作成する、編集する、保存する手段、保存されている発電スケジュールデータをもとに入札データを作成する手段が含まれる。
【００５６】
図６は、これら各手段の設定を行うための設定画面Ｗ４を示している。
【００５７】
図６に示す設定画面Ｗ４には、「新規作成」ボタンＤ１、「入札曲線」ボタンＤ２、「市場曲線」ボタンＤ３、「需要予測」ボタンＤ４、「価格予測」ボタンＤ５、「発電機データ」Ｄ６のほか、評価対象として「市場曲線」、「価格予測」、及び「発電機データ」を選択するためのラジオボタンＤ７、「最適化」ボタンＤ８、「閉じる」ボタンＤ９、「ファイル名」表示窓Ｄ１０ないしＤ１３がそれぞれ適宜位置に配置されている。
【００５８】
図６に示す設定画面Ｗ４において、入札データを作成する場合、「入札曲線」ボタンＤ２を用いてファイルから読み込むか、「発電機データ」ボタンＤ６を用いて発電スケジュールから作成する。この場合、デフォルトでは「ファイル名」表示窓Ｄ１０ないしＤ１３に表示されたファイルが読み込まれる。一方、全く新規にデータを作成する場合には、「新規作成」ボタンＤ１を用いる。データ作成を迅速に行う場合には、図６に示されたように目的ごとに必要なファイルを読み込んで使用するか、過去に作成したデータを流用して編集する等を行う。
【００５９】
ここでは、本実施形態の効果を説明するため、入札データを全く新規に作成する場合を例示する。入札データを新規に作成する場合は、図６に示す「新規作成」ボタンＤ１を押すと、図７に示したような入力画面Ｗ５が表示される。
【００６０】
電力取引市場の前日市場における入札データは、３０分おきの各時間帯において、その直後の３０分間に取引される電力を、その「電力（ＭＷ）」と「価格（￥／ｋＷｈ）」を組にして入札する。このよう組入札することで、発電量が少ない時には最も安価な発電機を動かし、発電量が増加するにつれてより高価な発電機を動かす必要からコストが増加することによる入札価格の増加を入力できる。
【００６１】
図７に示す入力画面Ｗ５には、「各時間帯（３０分毎）」表示窓Ｅ１、「前」ボタンＥ２、「次」ボタンＥ３、グラフ表示領域Ｅ４、入力方式として「座標方式」又は「短冊方式」（後述参照）を選択するためのラジオボタンＥ５、「表示更新」ボタンＥ６、座標方式が選択された場合に電力（ＭＷ）と価格（￥／ｋＷｈ）を組にして入力するための「電力」入力窓Ｅ７及び「価格」入力窓Ｅ８（短冊方式が選択された場合は後述の図９参照）、「全ての時刻」ボタンＥ９、「この時刻」ボタンＥ１０、「ピーク」ボタンＥ１１、「オフ・ピーク」ボタンＥ１２、入力された組の個数ｎを表示する「個数」表示窓Ｅ１３、「クリア」ボタンＥ１４、及び「閉じる」ボタンＥ１５がそれぞれ適宜位置に配置されている。
【００６２】
入札データを作成する時刻は、図７に示す「時間帯（３０分毎）」表示窓Ｅ１に表示され、「前」ボタンＥ２、「次」ボタンＥ３で、自由に選ぶことができる。入力データは、「すべての時刻」ボタンＥ９を押すと、全ての各時間帯の入札曲線として保存され、「この時刻」ボタンＥ１０を押すと、画面上部の「各時間帯」表示窓Ｅ１に表示された時間帯に対応したデータとして保存される。さらに、各時間帯毎に個別にデータを入力する手間を省くために、ピーク時間帯のみの入札データとして保存するための「ピーク」ボタンＥ１１と、オフ・ピーク時間帯のみの入札データとして保存するための「オフ・ピーク」ボタンＥ１２を用いて、まとめて入力することもできる。
【００６３】
図８は、図７に示す入力画面Ｗ５において入札データを入力した場合の表示例である。ここで、「電力（ＭＷ）」入力窓Ｅ７及び「価格（￥／ｋＷｈ）」入力窓Ｅ８に入力された入札データは、「表示更新」ボタンＥ６を押すと、グラフ表示領域Ｅ４に表示される。図８の例は、電力が「１（ＭＷ）」までは価格が「１（￥／ｋＷｈ）」、電力が「１（ＭＷ）」から「２（ＭＷ）」までは価格が「２（￥／ｋＷｈ）」、電力が「２（ＭＷ）」から「３（ＭＷ）」までは価格が「３（￥／ｋＷｈ）」で電気を売りたいという場合の入札データの入力情報に対応する。本実施形態では、この入札データの入力方法を「座標方式」と呼ぶ。「座標方式」は、全体の入札電力値が分かりやすいために入力ミスを減らすことができる利点がある。
【００６４】
一方、図９は、図７に示す入力画面Ｗ５において別の入力方法で入札データを入力した場合の表示例である。この場合、「入力方式」を選択するためのラジオボタンＥ５を用いて入力方式を「座標方式」から「短冊方式」に変更する。これにより、価格（￥／ｋＷｈ）と電力（ＭＷ）とを組にして入力するための入力窓が図７及び図８の例に示すものから、「価格（￥／ｋＷｈ）」入力窓Ｅ１６及び「電力（ＭＷ）」入力窓Ｅ１７に変更される。
【００６５】
図９の例では、価格が「１（￥／ｋＷｈ）」で電力が「１（ＭＷ）」、価格が「２（￥／ｋＷｈ）」で電力が「１（ＭＷ）」、価格が「３（￥／ｋＷｈ）」で電力が「１（ＭＷ）」、合計で電力が「３（ＭＷ）」の入札を行う場合の入札データの入力情報に対応する。これは、最初の「１（ＭＷ）」が「１（￥／ｋＷｈ）」であり、次の「１（ＭＷ）」、すなわち「１（ＭＷ）」から「２（ＭＷ）」までが「２（￥／ｋＷｈ）」であり、その次の「１（ＭＷ）」、すなわち「２（ＭＷ）」から「３（ＭＷ）」までが「３（￥／ｋＷｈ）」であることを示しており、図８の例の入力情報と同じ内容になっている。本実施形態では、この入力方法を「短冊方式」と呼ぶ。「短冊方式」は、入札データの編集が容易であるために編集ミスを減らす利点がある。
【００６６】
また、利用者は、図８あるいは図９の「入力方式」を選択するためのラジオボタンＥ５を用いることにより、入力方式を「座標方式」にするか、あるいは「短冊方式」にするか、自由に切り替えることができる。入力方式を切り替えた場合には、図形出力は電力取引システムＰＳで予め設定されたプログラム制御のコンピュータ動作にて自動的に更新される。「座標方式」の場合は、全体の入札電力値が分かりやすい反面、新たに入札データを追加するときに多くの入力データを変更する必要があるという欠点がある。一方、「短冊方式」の場合は、全体の入札電力がわかりにくいが、入札データの編集が容易であるという利点がある。
【００６７】
図１０は、図３に示す電力取引入力インターフェース１の画面Ｗ１において、入札データの入力が終了した直後の表示例であり、各時刻において最大の入札量と入札価格が示されている。ここで、「入札高」表示窓Ａ３および「入札価格」表示窓Ａ４には、それぞれの最大値が表示されている。また、オフ・ピーク時間帯の価格は青で、ピーク時間帯の価格は赤で表わされている。
【００６８】
このような入札の画面Ｗ１だけでは全体の状況を把握することが困難な場合には、図１０に示す「全プロット」ボタンＡ２０を押すことにより、すべての時間の入札曲線を図形出力で表示することができる。
【００６９】
図１１は、このような入札曲線の表示結果をグラフ表示する画面Ｗ６を示している。図１１に示す画面Ｗ６には、「入札日」表示窓Ｆ１、グラフ表示領域Ｆ２、「３Ｄプロット」ボタンＦ３、「閉じる」ボタンＦ４がそれぞれ適宜位置に配置されている。グラフ表示領域Ｆ２に表示されるグラフは、縦軸に価格（￥／ｋＷｈ）を、横軸に供給電力（ＭＷ）をそれぞれ取ったものであり、すべての時間のデータが重ねて表示されている。すべての時間のデータを重ねて表示しているので各時刻の結果が判読しにくい場合もある。このような場合には、図１１の「３Ｄプロット」ボタンＦ３をクリックすることで、図１２に示す画面Ｗ７が表示される。図１２に示す画面Ｗ７には、「入札日」表示窓Ｇ１、「閉じる」ボタンＧ２、グラフ表示領域Ｇ３がそれぞれ適宜位置に配置されている。グラフ表示領域Ｇ３に表示される３次元（３Ｄ）グラフは、３次元空間内の直交座標系のＸＹＺ軸に、価格（￥／ｋＷｈ）、電力（ＭＷ）、時刻（ｈｏｕｒ／４）をそれぞれとったものであり、これにより、入札曲線の３次元的な図形出力を得ることができる。
【００７０】
図１０に示す画面Ｗ１において、各時刻の「入札価格」表示窓Ａ４の右側に配置される「編集」ボタンＡ５を押すと、その時刻の入札曲線を編集する編集画面Ｗ８（図１３ないし図１４）が現れる。この編集画面Ｗ８は、前述した入札データの新規入力用の入力画面Ｗ５（図７ないし図９）と同様な手段を持つが、それに加えて「日付」表示窓Ｈ１を備え、さらに「事前評価」ボタンＨ１０、「設定」ボタンＨ１１を持つ。さらに事前評価や落札結果を表示するための「落札高」表示領域Ｈ８を持つ。
【００７１】
図１３および図１４は、入札曲線の編集画面Ｗ８を示している。
【００７２】
図１３および図１４に示す編集画面Ｗ８には、「日付」表示窓Ｈ１、「時間帯（３０分毎）」表示窓Ｈ２、グラフ表示領域Ｈ３、入力方式として「座標方式」又は「短冊方式」を選択するためのラジオボタンＨ４、「表示更新」ボタンＨ５、座標方式が選択された場合に電力（ＭＷ）と価格（￥／ｋＷｈ）を組にして入力するための「電力」入力窓Ｈ６及び「価格」入力窓Ｈ７（図１３参照）、短冊方式が選択された場合に価格（￥／ｋＷｈ）と電力（ＭＷ）とを組にして入力するための「価格」入力窓Ｈ１４及び「電力」入力窓Ｈ１５（図１４参照）、落札高の事前評価結果や落札結果を表示するための「落札高」表示領域Ｈ８、入力された組の個数ｎを表示する「個数」表示窓Ｈ９、「事前評価」ボタンＨ１０、「設定」ボタンＨ１１、「クリア」ボタンＨ１２、及び「閉じる」ボタンＨ１３がそれぞれ適宜位置に配置されている。
【００７３】
入札データの入札曲線の入力では、基本的には電力値と価格の組を座標方式では「電力」入力窓Ｈ６及び「価格」入力窓Ｈ７に、短冊方式では「価格」入力窓Ｈ１４及び「電力」入力窓Ｈ１５にそれぞれ入力可能となっている。この場合、座標方式では、電力値は、その価格までの合計値になっているが、短冊方式では各価格に対応する電力値の増分が入力される。
【００７４】
ここで、図８に示す入力画面Ｗ５で入札データの入札曲線を編集して、図１３に示す編集画面Ｗ８でその入札曲線に変更しようとする場合、座標方式では「電力」入力窓Ｈ６及び「価格」入力窓Ｈ７の組で、「１．５０（ＭＷ）」及び「１．５０（￥／ｋＷｈ）」、「２．５０（ＭＷ）」及び「２．００（￥／ｋＷｈ）」、「３．５０（ＭＷ）」及び「３．００（￥／ｋＷｈ）」に示すごとく、２番目以降の全てのデータの組を変更する必要がある。
【００７５】
図１４は、同様な編集を短冊方式で行った場合の例であるが、この場合には図１４に示す「価格」入力窓Ｈ１４及び「電力」入力窓Ｈ１５の組で、「１．５０（￥／ｋＷｈ）」の価格に対応する電力値として「０．５０（ＭＷ）」が入力されているが、他のデータの組は全て同じ値になっている。実際の入力では、「１．５（￥／ｋＷｈ）」と「０．５（ＭＷ）」の組のデータは、「１．００（￥／ｋＷｈ）」と「２．００（￥／ｋＷｈ）」の間に挿入する必要はなく、例えば価格が最も大きい「３．００（￥／ｋＷｈ）」の次の空欄になっている入力位置に順不同に入力すればよい。ここで入力されたデータは、電力取引システムＰＳで予め設定されたプログラム制御により自動的に価格の小さい順に並べ直して表示可能となっている。これに対し、座標方式ではデータの組を入力する順番が重要であり、しかも電力値、価格値ともに単調増加する値を入れる必要がある。
【００７６】
以上に述べたように短冊方式を用いて入力することにより入札データの編集が非常に簡単になるという効果がある。座標方式で入力されたデータは、たとえ入力の途中でも「入力方式」切り替えラジオボタンＨ４で座標方式に切り替えることによって、分かりやすい座標方式の表示に変更することもできる。もちろん、最初から、あるいは途中から座標方式で入力を行うことも可能である。
【００７７】
次に、図２に示す事前評価手段１２に関して具体的に説明する。
【００７８】
事前評価方法には、種々の方法があるが、市場価格の予測値等の仮定を設けることにより実施する。たとえば、落札価格が予想できる場合は容易に落札量を評価することができる。
【００７９】
落札価格の予想方法の例は後述するが、ここでは何らかの方法で落札価格が予測できたとする。最も簡単でかつ普通の予測方法は、昨日の価格を用いる方法である。本日が月曜日の場合には昨日（日曜日）のデータを用いることは適当ではないので、例えば先週の月曜日の落札価格を用いる。
【００８０】
本実施形態では、市場データサーバー６がその市場データ６ａとして過去の落札価格を保存しており、任意の日の落札価格の情報を読み込むことができる。従って、過去のデータから最適と思われる日のデータを選ぶことができる。また、場合によっては、過去の一定期間の各時刻の落札価格の平均値を用いることもできる。また、他の方法で落札価格を予測し、ファイルの形で電力取引システムＰＳに入力することもできる。
【００８１】
図１５に示す画面Ｗ９は、図６に示す設定画面Ｗ４の「価格予測」ボタンＤ５を用いてファイル名表示窓Ｄ１０ないしＤ１３に示された外部ファイルで与えられた落札価格のデータを読み込んだ結果を示している。この画面Ｗ９には、「日付」表示窓Ｉ１、グラフ表示領域Ｉ２、「閉じる」ボタンＩ３がそれぞれ適宜位置に配置されている。また、グラフ表示領域Ｉ２には、縦軸に落札価格（￥／ｋＷｈ）、横軸に時刻（ｈ）をとったグラフとして市場の落札曲線が表示されている。ここで、図６に示す設定画面Ｗ４は、図１３ないし図１４に示す「設定」ボタンＨ１１を押すことで呼び出すことができる。
【００８２】
この場合、各時刻において、入札曲線と落札価格の予測値から落札量を評価することができる。図１３や図１４に示す入札データの編集画面Ｗ８において、「事前評価」ボタンＨ１０を押すと、図１６に示すように、画面下部に落札量の評価結果表示領域、即ち「価格予測（￥／ｋＷｈ）」表示窓Ｈ１５、「売上予測（Ｍ￥）」表示窓Ｈ１６、「落札量予測（ＭＷｈ）」表示窓Ｈ１７、及び「最適化」ボタンＨ１８が現れる。このとき、「事前評価」ボタンＨ１０は、「再評価」ボタンＨ１４に自動的に変わる。
【００８３】
なお、評価結果表示領域の表示項目は、図６に示す設定画面Ｗ４の「評価対象」選択ラジオボタンＤ７によって異なる。落札価格の予測値から事前評価を行う場合には、このラジオボタンＤ７を用いて、「評価対象」の中から「価格予測」を選んでおく必要がある。
【００８４】
図１６は、図１３や図１４に示す入札データの編集画面Ｗ８において、上記のような事前評価の結果を示している。この例は、「０：００〜０：３０」における入札曲線を事前評価した結果である。図１５から、「０：００〜０：３０」における予測価格は、「２（￥／ｋＷｈ）」であることが分かるが、この落札価格と図１６に示された入札曲線を比較することにより、「１（ＭＷ）」まで落札されることが予測できる。従って、この場合の事前評価結果は「１（ＭＷ）」となる。
【００８５】
図１６に示す編集画面Ｗ８の「落札高」表示窓Ｈ８には、合計「１（ＭＷ）」の落札量が示されている。このとき、落札価格も分かっているので、売上等の予測も可能である。これらの結果は、図１６に示す編集画面Ｗ８の画面下部の評価結果表示領域に示されている。この結果を見て、入札曲線を編集し直して、さらに事前評価を行うというプロセスを繰り返すことにより、最も適した入札曲線を入力することが容易に可能になる。
【００８６】
前述したようにして、すべての時刻に対して入札曲線を作成した後に、実際の入札を行う。図１０に示す画面Ｗ１において、画面右上の「入札実行」ボタンＡ１５を押すことにより入札を行う。このとき、図１７に示すような確認画面Ｗ１１が現れる。図１７に示す確認画面Ｗ１１には、「日付」表示窓Ｋ１、「本当に入札を実行しますか？」等の確認メッセージ、「確認」ボタンである「はい」ボタンＫ２又は「いいえ」ボタンＫ３が適宜位置に配置されている。この確認画面Ｗ１１の「はい」ボタンＫ２を選択することにより入札を実行する。このあとの処理は、相手先により異なるが、通常はインターネット１０を介して電力取引所システム７に入札データがあらかじめ定められた所定の形式で電子的に送られることになる。送られた後は、電力取引所システム７において、他社からの入札データも合わせて実際に入札が実施され、結果が各社に返信されてくる。従って、電力取引システムＰＳでは、常時このような電力取引所システム７からの返信を監視しておく必要がある。
【００８７】
電力取引所システム７からの返信データだけでなく、種々の操作の履歴に関しても常にモニタして記録しておくことにより、何らかの異常な事態が生じたときに原因を究明しやすい。本実施形態の電力取引システムＰＳでは、あらゆる操作が操作時刻とともに全て記録されており、後で参照できるようになっている。
【００８８】
図１０に示す画面Ｗ１において、「モニタ」ボタンＡ１９を押すと、図１８に示すような画面Ｗ１２が現れる。この画面Ｗ１２には、使用者が電力取引システムＰＳに初めてアクセスした以降の操作履歴Ｌ１と、「閉じる」ボタンＬ２とが表示される。また、入札結果が電力取引所システム７から返信されてきたときにも警告を発する。このとき、ブザー等の音で警告を発することもできる。
【００８９】
入札後に電力取引所システム７からデータが返信されてきたら、図１０に示す画面Ｗ１の「結果取得」ボタンＡ１６を押すと、その結果が電力取引システムＰＳに取り込まれる。図１９に示す画面Ｗ１の表示例は、その様子を示している。この場合、「落札高」表示窓Ａ６および「落札価格」表示窓Ａ７において、入札量が全て落札された時間帯は、例えば青で、部分的に落札されたか全く落札されなかった時間帯は、例えば橙色でそれぞれ色分けして表示される。また、画面右上の電力取引システムＰＳの「状況」表示窓Ａ１３は、「確定」になっており、この段階では当然に編集を行うことはできない。
【００９０】
電力取引市場の前日市場では、落札結果が判明するのが前日であるため、落札結果によっては至急に翌日の発電計画を変更する必要がある。従って、落札結果を種々の方法で表示、分析し、発電部門に通知できる必要がある。
【００９１】
例えば、図１９に示す画面Ｗ１の右上の「詳細表示」ボタンＡ１２を押すことにより、詳細な落札情報が表示される。図２０に示す画面Ｗ１３は、その結果を示している。
【００９２】
図２０に示す画面Ｗ１３には、「入札日」表示窓Ｍ１、「時間帯（３０分毎）」表示窓Ｍ２、「入札高（ＭＷ）」表示窓Ｍ３、入札価格である「価格（￥／ｋＷｈ）」表示窓Ｍ４、「利益率（％）」表示窓Ｍ５、「落札高（ＭＷ）」表示窓Ｍ６、「落札率（％）」表示窓Ｍ２５、「落札価格（￥／ｋＷｈ）」表示窓Ｍ７、「売上（Ｍ￥）」表示窓Ｍ８、「利益（Ｍ￥）」表示窓Ｍ９、「市場入札量（ＭＷ）」表示窓Ｍ１０、「需要（ＭＷ）」表示窓Ｍ１１、「メッセージ」表示窓Ｍ１２、「保存」ボタンＭ１３、「戻る」ボタンＭ１４、「入札量（ＭＷｈ）」表示窓Ｍ１５、「予定額（Ｍ￥）」表示窓Ｍ１６，「落札量（ＭＷｈ）」表示窓Ｍ１７、「落札高」表示窓Ｍ１８、「落札率」表示窓Ｍ１９、「利益（Ｍ％）」表示窓Ｍ２０、「落札高」ボタンＭ２１、「落札価格」ボタンＭ２２、「利益」ボタンＭ２３、及び「全プロット」ボタンＭ２４がそれぞれ適宜位置に配置されている。
【００９３】
また、落札量や落札価格を図形情報として確認したい場合には、図１９に示す画面Ｗ１の右下の「全プロット」ボタンＡ２０を押す。
【００９４】
図２１に示す画面Ｗ１４は、入札量と落札量を時刻の関数としてプロットしたものである。図２１の画面Ｗ１４には、「メッセージ」表示窓Ｎ１、「日付」表示窓Ｎ２、縦軸に入札高及び落札高（ＭＷ）、横軸に時刻（ｈ）をとったグラフを表示するグラフ表示領域Ｎ３、「閉じる」ボタンＮ４がそれぞれ適宜位置に配置されている。
【００９５】
図２１に示す画面Ｗ１４のグラフ表示領域Ｎ３に表示されるグラフにおいて、落札高を示す曲線と入札高を示す曲線が一致している時刻には、入札量の全量が落札されたことを示し、落札高を示す曲線が入札高を示す曲線の下方にある時刻は、不落札が存在する時刻を示している。全量落札された時刻は、計画どおりであるから問題ないが、不落札が存在する時刻に関しては、計画と異なるわけであるから、至急に発電計画を変更するなどの対処が必要であるので、容易に判別できるようにしておく必要がある。
【００９６】
図２２は、図２１に示す画面Ｗ１４のグラフ表示領域Ｎ３のグラフとして、入札価格と落札価格を時刻の関数としてプロットしたものである。このグラフでは、入札価格が落札価格以下の部分は、当然に全量落札されているわけであるが、入札価格が落札価格以上の時間帯は、不落札が存在することを意味している。
【００９７】
ここで、入札データを詳細に一覧表示したい場合は、図１９に示す画面Ｗ１の「一覧表示」ボタンＡ１１を押すと、入札曲線のデータとその図形表示グラフが同一画面に現れる。図２３は、この画面Ｗ１５を示す。
【００９８】
図２３に示す画面Ｗ１５には、「日付」表示窓Ｏ１、「時間帯」表示窓Ｏ２、入札曲線のデータ一覧表示領域を成す「時間帯」表示窓Ｏ３、「電力」表示窓Ｏ４、及び「価格」表示Ｏ５、「戻る」ボタンＯ６、座標方式でのグラフ表示領域Ｏ７、「電力（ＭＷ）」表示窓Ｏ８、及び「価格（￥／ｋＷｈ）」表示窓Ｏ９、短冊方式でのグラフ表示領域Ｏ１０、「価格（￥／ｋＷｈ）」表示窓Ｏ１１、及び「電力（ＭＷ）」表示窓Ｏ１２がそれぞれ適宜位置に配置されている。
【００９９】
図２３に示す画面Ｗ１５において、入札曲線のデータ一覧表示領域の「時間帯」表示窓Ｏ３、「電力」表示窓Ｏ４、及び「価格」表示窓Ｏ５には、「日付」表示窓Ｏ１に示された日の各時間帯の入札曲線のデータが全て表示されている。ここで、「戻る」ボタンＯ６を押すことで、図３に示す電力取引入力インターフェースの画面Ｗ１に随時戻ることができる。図２３の画面Ｗ１５と図１９の画面Ｗ１は同一の情報を表しており、どちらも入札データの入力に用いられるため、電力取引入力インターフェース１の画面を構成するものである。
【０１００】
図２３に示す画面Ｗ１５では、入札曲線のデータ一覧表示領域上でカーソルが位置する時間帯の落札曲線が、座標方式及び短冊方式の両方でそれぞれ画面右側のグラフ表示領域Ｏ７及びＯ１０に表示される。ここで、カーソルを上下に動かすことで、各時間帯の入札曲線が自動的に表示される。図２３の例では、「５：３０」以降の入札データは表示されていないが、垂直スクロール・バーを動かすことにより表示される。なお、図２３に示す画面Ｗ１５は、入札結果の確認だけでなく、入札データの編集にも使用可能である。この場合、図面左側の表の部分を変更することで自動的に右側の図も変更可能となっている。
【０１０１】
市場の積算された入札曲線あるいは他社の入札曲線、および落札需要量が予測できる場合には、さらに詳細な事前分析が可能になる。他社の入札曲線を予想することは容易ではないが、自社の入札によって落札価格が変化する効果を考慮したい場合には、このような方法をとる必要がある。
【０１０２】
図２４に示す画面Ｗ１６は、市場の入札曲線の例である。これは、自社以外の全ての市場参加者の入札データを積算して作成されたものである。ここで積算とは、複数の入札者の入札データを価格の安いものから並べなおして一つの入札データを作成する方法である。入札データを並べ直すことはオークション（競り）を行うことと同義である。図２４に示す画面Ｗ１６において、「日付」表示領域Ｐ１、グラフ表示領域Ｐ２、「閉じる」ボタンＰ３がそれぞれ適宜位置に配置されている。グラフ表示領域Ｐ２には、縦軸に入札価格（￥／ｋＷｈ）、横軸に電力供給量（ＭＷ）をとったグラフとして、市場の入札曲線が表示される。
【０１０３】
本実施形態の電力取引システムＰＳは、多数の入札曲線を積算して市場入札曲線を作成するオークション・エンジン２を内蔵しており、利用者が自己の入札曲線を作成し、市場の入札曲線と比較し、落札価格や落札量を瞬時に計算して事前評価を行いながら最適な入札曲線を作成することができる。
【０１０４】
市場参加者の数が非常に多い場合には、市場の入札曲線は、自社も含めた全ての市場参加者の入札曲線を積算したもので近似することもできる。個々の市場参加者の入札曲線が公開されることはないが、市場全体の入札曲線は電力取引所によって公開される場合もある。この場合、過去の入札曲線から現在の需給状況と似た時期の入札曲線を用いて入札時の市場入札曲線の予測値とすることができる。以下では、自社以外の全ての市場参加者の入札曲線を積算したものを市場の入札曲線と定義する。
【０１０５】
図２５に示す画面Ｗ１６は、市場における各時刻における需要の予測値である。これに関しても過去の適切な時期のデータを用いて予測値に代えるか、何らかの需要予測方法を持っている場合には独自に予測した値を用いることもできる。図２５に示す画面Ｗ１６において、グラフ表示領域Ｐ２には、縦軸に需要予測（ＭＷ）、横軸に時刻（ｈ）をとったグラフとして、市場における各時刻の需要の予測値が表示される。
【０１０６】
図２６は、市場の入札曲線と需要予測を用いて事前評価を行う場合の入力画面Ｗ１７である。この場合、図６に示す設定画面Ｗ４の「評価対象」選択用のラジオボタンＤ７で、評価対象として「市場曲線」を選んでおく必要がある。
【０１０７】
図２６に示す入力画面Ｗ１７において、「日付」表示窓Ｑ１、「時間帯（３０分毎）」表示窓Ｑ２、グラフ表示領域Ｑ３、「入力方式」として「座標方式」又は「短冊方式」を選択する「入力方式」選択ラジオボタンＱ４、「表示更新」ボタンＱ５、入札量である「電力（ＭＷ）」表示窓Ｑ６、入札価格である「価格（￥／ｋＷｈ）」表示窓Ｑ７、落札量である「落札（ＭＷ）」表示窓Ｑ８、「市場曲線」チェックボックスＱ９、「入札曲線」チェックボックスＱ１０、「積算曲線」チェックボックスＱ１１、入札データの組の「個数（ｎ個）」表示窓Ｑ１２、「積算」ボタンＱ１３、「評価」ボタンＱ１４、「最適化」ボタンＱ１５、「設定」ボタンＱ１６、「閉じる」ボタンＱ１７、「需要予測（ＭＷ）」表示窓Ｑ１８、「落札価格（￥／ｋＷｈ）」表示窓Ｑ１９及び「落札量（ＭＷ）」表示窓Ｑ２０がそれぞれ適宜位置に配置されている。
【０１０８】
市場の入札曲線と需要予測があれば、これらから落札価格を評価することは容易である。この場合、自社の入札曲線と市場の入札曲線を積算し、全体の入札曲線を作成する。
【０１０９】
図２７は、図２６に示す入力画面Ｗ１７において、自社の入札曲線と市場の入札曲線を積算して全体の入札曲線を作成し、その時刻の需要予測から落札価格を評価した場合を示している。図中のグラフ表示領域Ｑ３に表示されるグラフの横軸（供給（ＭＷ））で需要予測に相当する値と全体の入札曲線の交点が落札価格になる。落札量は、通常は需要量に一致するが、入札量が需要量に満たない場合は、総入札量が落札量になる。
【０１１０】
一般的には、需要側も入札曲線を作成して入札を行う。このとき、供給側の積算された入札曲線と需要側の積算された入札曲線の交点から落札価格および落札量が決まる。この落札価格の決定にも上記のオークション・エンジン２を用いることができる。
【０１１１】
市場の入札曲線と需要予測があれば、入札データを最適化することが可能である。これには、自社の入札曲線を変化させて市場入札曲線と積算し、オークション・エンジン２によって落札価格および落札量を決定し、その結果の落札量あるいは利益が最大になるように入札曲線を変更することによって得られる。
【０１１２】
図２８は、このような最適化を行う画面Ｗ１８の例である。図２８に示す画面Ｗ１８において、「各時間帯（３０分毎）」表示窓Ｒ１、「前」ボタンＲ２、「次」ボタンＲ３、「更新」ボタンＲ４、「設定」ボタンＲ５、「キャンセル」ボタンＲ６、「閉じる」ボタンＲ７、「最適化オプション」として「利益最大」又は「落札量最大」を選択する「最適化オプション」選択ラジオボタンＲ８、「リスク許容度」として「制限なし」又は「制限あり」を選択する「リスク許容度」選択ラジオボタンＲ９、「リスクオプション」ボタンＲ１０、「この時刻」ボタンＲ１１、「すべての時刻」ボタンＲ１２、「最適化」の進行状況を示す「最適化」インジケータＲ１３、「決定」ボタンＲ１４、入札曲線を表示するグラフ表示領域Ｒ１５、入札データの組の「個数（ｎ）」表示窓Ｒ１６、入札量である「電力（ＭＷ）」表示窓Ｒ１７、入札価格である「価格（￥／ｋＷｈ）」表示窓Ｒ１８、最適化後の新たな入札量又は入札価格を表示する「新」表示窓Ｒ１９、及び落札価格（￥／ｋＷｈ）、需要予測（ＭＷ）、リスク量（Ｍ￥）と共に、最適化前（現）及び最適化後（新）の入札量（ＭＷｈ）、入札価格（Ｍ￥）、落札量（ＭＷ）、売上（Ｍ￥）、利益（Ｍ￥）を表示する表示領域Ｒ２０がそれぞれ適宜位置に配置されている。
【０１１３】
図２８の例では、「最適化オプション」としては「落札量最大」のオプションが選択され、落札量が最大になるように設定されている。一方、「リスク許容度」に関しては「制限なし」が選択されている。ここで、「リスク許容度」とは、許容されうるリスクの最大値であり、リスクとは期待される落札量あるいは利益の不確実性を表す指標であり、通常は収益や落札量の確率密度分布の標準偏差に比例する量として与えられる。この比例係数は、信頼水準によって決められる定数である。
【０１１４】
図２９は、図２８に示す画面Ｗ１８において、「最適化」を実施した結果の例である。この場合には、単純に落札量を最大にするために、図２８中のグラフ表示領域Ｒ１５に表示されている入札曲線が図２９中の入札曲線へと変更されている。この場合、落札価格が点線で示してあり、全入札量が落札されるように入札価格を自動的に変更している。従って必ずしも利益が増大するとは限らない。
【０１１５】
一方、「最適化オプション」において「利益最大」のオプションが選択された場合には、入札価格の低減率は利益が最大になるように調整される。また、リスク量の制約が加えられた場合には、それぞれの入札曲線に対してリスク値を計算し、リスク値が許容範囲にある入札曲線の中から利益あるいは落札量が最大になるような入札曲線が選択される。
【０１１６】
次に、リスク評価エンジン３に関して説明する。
【０１１７】
前述したように「リスク」とは、不確実性のことであり、本実施形態の電力取引システムＰＳにおいては、不確実性は価格予測、需要予測、市場の入札曲線の予測等に起因する。これらの予測値は、たとえば過去の特定の日のデータを中心にして、たとえば±２０％の誤差があるというような仮定を設けることができる。また、実際に過去のデータを統計的に処理することによって、どの程度の不確実性があるかについて標準偏差のような指標で表すことができ、この場合にはリスク量は容易に計算することができる。場合によっては、市場曲線をモンテカルロ法によってランダムに多数作成してリスク量を計算することができる。
【０１１８】
一方、電力取引市場に参加する他社の発電機データが予測できる場合には、他社の入札曲線を予想することも不可能ではない。しかし、この場合には発電機データから入札曲線を作成するにあたり、どの発電機が入札に参加するかが不確実要素になる。
【０１１９】
図３０及び図３１に示す画面Ｗ１９は、このような不確実性の評価を行う場合の例を示している。図３０及び図３１に示す画面Ｗ１９では、「日付」表示窓Ｓ１、グラフ表示領域Ｓ２、「積算」ボタンＳ３、「個数（ｎ）」表示窓Ｓ４、「閉じる」ボタンＳ５がそれぞれ適宜位置に配置されている。
【０１２０】
図３０の例は、多数の発電機のコスト曲線を示している。これらが入札に参加した場合、入札曲線はこれらのコスト曲線を積算したものになる。
【０１２１】
図３１の例は、このようにして作成した市場入札曲線である。この場合、電力取引市場に参加する自社及び他社の発電機をランダムに選択することによって多数の入札曲線を作成することができ、これらの不確実性がリスクとして評価できる。
【０１２２】
実際の入札では、発電機のデータから入札曲線を作成することが多い。この場合には、本実施形態のオークション・エンジン２の一部である積算手段を用いることができる。発電機の運転スケジュールとコストが与えられた場合、各時刻の入札曲線を自動的に作成することができる。
【０１２３】
図３２ないし図３５は、発電スケジュールから入札曲線を作成する方法を示している。図６の設定画面Ｗ４で「発電機データ」ボタンＤ６を選ぶと、図３２に示すような画面Ｗ２０が表示される。
【０１２４】
図３２に示す画面Ｗ２０では、「発電機データ」ボタンＴ１、「週間スケジュール」Ｔ２、「限界コスト計算」Ｔ３、ファイル名表示窓Ｔ４及びＴ５、及び「閉じる」ボタンＴ６がそれぞれ適宜位置に配置されている。ここで、「週間スケジュール」ボタンＴ２を選び、発電機の発電スケジュールおよびコスト情報が記録されたファイルを読み込む。
【０１２５】
図３３は、発電機の発電スケジュールを読み込んだ結果を示す画面Ｗ２１である。図３３に示す画面Ｗ２１では、「開始日」表示窓Ｕ１、「終了日」表示窓Ｕ２、「戻る」ボタンＵ３、グラフ表示領域Ｕ４、発電機の「ユニット数」表示窓Ｕ５、「詳細」ボタンＵ６がそれぞれ適宜位置に配置されている。この場合、５つの発電機の週間スケジュールが表示されている。これは、画面上部に表示された１週間を１時間単位（変更は３０分単位）で示した図である。図３３の「詳細」ボタンＵ６をクリックすると、図３４及び図３５に示すような画面Ｗ２２が表示される。
【０１２６】
図３４及び図３５に示す画面Ｗ２２では、「開始日」表示窓Ｖ１、「終了日」表示窓Ｖ２、「戻る」ボタンＶ３、グラフ表示領域Ｖ４、「ユニット数」表示窓Ｖ５、「コスト」表示窓Ｖ６、「発電機」表示窓Ｖ７、「コスト計算」Ｖ８、「閉じる」ボタンＶ９、グラフ表示領域Ｖ１０、「日付」表示窓Ｖ１１、「前日」ボタンＶ１２、「翌日」ボタンＶ１３、「暦」ボタンＶ１４、「時間帯（３０分毎）」表示窓Ｖ１５、「前」ボタンＶ１６、「次」ボタンＶ１７、「利益率（％）」表示窓Ｖ１８、「この日」ボタンＶ１９、及び「この時刻」ボタンＶ２０がそれぞれ適宜位置に配置されている。
【０１２７】
ここで、「コスト計算」ボタンＶ８を押すと、これと対応する時刻のコスト曲線が表示される。これは、図３４の例では、５台の発電機のコストを元に作成された入札曲線に相当する。但し、このままでは原価そのものになるので「利益率」表示窓Ｖ１８に入力された数値をかけて入札曲線として保存する。
【０１２８】
図３５の「翌日」ボタンＶ１３を押すと、翌日の０時の曲線が表示される。このとき、画面上部の図で表示時刻を示す点線Ｖ２１が移動する。日付は「暦」ボタンＶ１４でも変更可能である。対象外の日を指定すると警告メッセージが出される。また、「前」ボタンＶ１６、「次」ボタンＶ１７を押すと表示される時刻が変更可能である。
【０１２９】
入札曲線が決まれば、「この日」ボタンＶ１９を押すと、その日の１日分の入札曲線が登録される。また、「この時刻」ボタンＶ２０を押すとその時刻のみが登録される。
【０１３０】
以上、図３ないし図３５に示す電力取引入力インターフェース１を成す各画面Ｗ１ないしＷ２２は、相互に連携しながら、ユーザによる入力、編集、保存、事前評価方法、電力取引所への入札内容の送信、落札結果の受信、結果の保存、その他ボタンを押すあるいは入力領域へデータを入力する等、予め設定されたイベント操作に応じて、上記のように、画面表示が切り替わったり、或いは予め設定された演算アルゴリズムに基づく計算が実行されたりして、各画面Ｗ１ないしＷ２２上で、予め用意された各手段（各ステップ）の動作がプログラム制御により実行されるようになっている。
【０１３１】
このような電力取引入力インターフェース１を用いることにより、取引条件の入力に汎用性を持たせることができ、取引価格に発電コストを適切に反映させることが容易となり、適切な価格で市場取引が可能になる。また、複雑な条件の取引価格を提示する場合でも、入力に手間と時間がかからない。さらに、市場における落札量の予測や事前評価もできるようになる。
【０１３２】
従って、本実施形態によれば、電力取引市場に対して買い注文あるいは売り注文を正確、迅速かつ適切に提出し得る電力取引システムを提供できる。この電力取引システムでは、取引内容を事前に評価し、落札量や落札価格を予測し、それらをもとに入力内容を修正し、希望の入札を行え、さらに、取引に関する収益やリスクを評価し、制約を与え、それらのもとで取引を最適化することにより取引に関するリスクを適切に管理することができる。
【図面の簡単な説明】
【０１３３】
【図１】本発明の一実施形態に係る電力取引システムおよびネットワーク全体を示す図。
【図２】本発明の一実施形態の電力取引システムで用いる電力取引入力インターフェースの内部構成を示す概念図。
【図３】本発明の一実施形態の電力取引システムで用いる電力取引入力インターフェースのシステム起動時の画面表示例を示す図。
【図４】電力取引入力インターフェースを用いてカレンダーにより日付を入力する場合の画面表示例を示す図。
【図５】電力取引入力インターフェースを用いてデータベースに保存されたデータの日付を指定する場合の画面表示例を示す図。
【図６】電力取引入力インターフェースを用いて入力データの作成、ファイルの読み込み、および評価対象を設定する場合の設定画面を示す図。
【図７】電力取引入力インターフェースを用いて入札データを作成する場合の画面表示例を示す図。
【図８】電力取引入力インターフェースを用いて座標方式で入力を行う場合の画面表示例を示す図。
【図９】電力取引入力インターフェースを用いて短冊方式で入力を行う場合の画面表示例を示す図。
【図１０】電力取引入力インターフェースを用いて入札価格を入力したときの画面表示例を示す図。
【図１１】電力取引入力インターフェースを用いて入札曲線をプロットした場合の画面表示例を示す図。
【図１２】電力取引入力インターフェースを用いて入札曲線を３次元でプロットした場合の画面表示例を示す図。
【図１３】電力取引入力インターフェースを用いて入札曲線を編集する場合の画面表示例を示す図。
【図１４】電力取引入力インターフェースを用いて短冊方式で入札曲線を編集する場合の画面表示例を示す図。
【図１５】電力取引入力インターフェースを用いて予想落札価格を読み込んだ場合の画面表示例を示す図。
【図１６】電力取引入力インターフェースを用いて事前評価を行った場合の画面表示例を示す図。
【図１７】電力取引入力インターフェースを用いて入札を実施する場合の画面表示例を示す図。
【図１８】電力取引入力インターフェースを用いて入札状況をモニタした場合の画面表示例を示す図。
【図１９】電力取引入力インターフェースを用いて入札結果（落札結果）を表示する場合の画面表示例を示す図。
【図２０】電力取引入力インターフェースを用いた詳細表示の画面表示例を示す図。
【図２１】電力取引入力インターフェースを用いて入札高と落札高をプロットした場合の画面表示例を示す図。
【図２２】電力取引入力インターフェースを用いて入札価格と落札価格をプロットした場合の画面表示例を示す図。
【図２３】電力取引入力インターフェースを用いて入札データを一覧表示した場合の画面表示例を示す図。
【図２４】電力取引入力インターフェースを用いて市場入札曲線を読み込んだ場合の画面表示例を示す図。
【図２５】電力取引入力インターフェースを用いて需要予測を読み込んだ場合の画面表示例を示す図。
【図２６】電力取引入力インターフェースを用いて需要予測および市場曲線から事前評価を行う場合の画面表示例を示す図。
【図２７】電力取引入力インターフェースを用いて需要予測および市場曲線から事前評価を行った結果の画面表示例を示す図。
【図２８】電力取引入力インターフェースを用いて落札量を最大にするように最適化を行なう場合の画面表示例を示す図。
【図２９】電力取引入力インターフェースを用いて落札量を最大にするように最適化を行った結果の画面表示例を示す図。
【図３０】電力取引入力インターフェースを用いて多数の発電機のコスト曲線を読み込んだ場合の画面表示例を示す図。
【図３１】電力取引入力インターフェースを用いて多数の発電機のコスト曲線から市場入札曲線を作成した場合の画面表示例を示す図。
【図３２】電力取引入力インターフェースを用いて発電機データを用いて入札曲線を入力する場合の場合の画面表示例を示す図。
【図３３】電力取引入力インターフェースを用いて発電機データを読み込んだ場合の画面表示例を示す図。
【図３４】電力取引入力インターフェースを用いて発電機データから入札曲線を作成する場合の画面表示例を示す図。
【図３５】電力取引入力インターフェースを用いて発電機データから入札曲線を作成した場合の画面表示例を示す図。
【図３６】本発明の一実施形態の電力取引システムで用いる電力取引入力インターフェースの動作方法及び動作プログラムを説明する概略フローチャート。
【符号の説明】
【０１３４】
１  電力取引入力インターフェース
２  オークション・エンジン
３  リスク評価エンジン
４  戦略データサーバー
５  取引データサーバー
６  市場データサーバー
７  電力取引所システム
８  取引先システム
１１  入札データ作成手段
１２  入札データ事前評価手段
１３  入札データ最適化手段
１４  入札実行手段
１５  入札結果取得手段
１６  データ保存手段
１７  市場データ収集手段
１８  入札データ予測手段
１９  リスク評価手段
【図１】
2006119760.tif 000003
【図２】
2006119760.tif 000004
【図３】
2006119760.tif 000005
【図４】
2006119760.tif 000006
【図５】
2006119760.tif 000007
【図６】
2006119760.tif 000008
【図７】
2006119760.tif 000009
【図８】
2006119760.tif 000010
【図９】
2006119760.tif 000011
【図１０】
2006119760.tif 000012
【図１１】
2006119760.tif 000013
【図１２】
2006119760.tif 000014
【図１３】
2006119760.tif 000015
【図１４】
2006119760.tif 000016
【図１５】
2006119760.tif 000017
【図１６】
2006119760.tif 000018
【図１７】
2006119760.tif 000019
【図１８】
2006119760.tif 000020
【図１９】
2006119760.tif 000021
【図２０】
2006119760.tif 000022
【図２１】
2006119760.tif 000023
【図２２】
2006119760.tif 000024
【図２３】
2006119760.tif 000025
【図２４】
2006119760.tif 000026
【図２５】
2006119760.tif 000027
【図２６】
2006119760.tif 000028
【図２７】
2006119760.tif 000029
【図２８】
2006119760.tif 000030
【図２９】
2006119760.tif 000031
【図３０】
2006119760.tif 000032
【図３１】
2006119760.tif 000033
【図３２】
2006119760.tif 000034
【図３３】
2006119760.tif 000035
【図３４】
2006119760.tif 000036
【図３５】
2006119760.tif 000037
【図３６】
2006119760.tif 000038